Podtech/llm-jp-corpus-v4-ja_patent huggingface dataset:
(57)【要約】      （修正有）【課題】ネオジウム磁石を設け着脱を可能にすることにより、必要部分のみの取り換えを可能にし、また磁気の効果により血行の促進や改善などを期待することができるマスクを提供する。【解決手段】マスク本体Ａ両側の上下部分と左右それぞれの耳掛け紐Ｂ−１、Ｂ−２先端にネオジウム磁石Ｃ−１〜Ｃ−４、Ｄ−１〜Ｄ−４を装着し、マスク本体と耳掛け紐の着脱を可能にする。マスク劣化時、必要な部分のみの取り換えが可能になり素材の無駄な消費を抑えることができる。またネオジウム磁石の使用により磁気の効果で、顔面の血行不良改善を促すことが期待でき、使用者の健康にも役立つ。【選択図】図１
0003230884.tif 000002
【実用新案登録請求の範囲】
【請求項１】
使用者の鼻口を覆うマスク本体の両端とそれに付随される耳掛け紐の先端各々にネオジウム磁石を装着し、マスク本体と耳掛け紐の着脱を自在としたところを特徴とするマスク。
【考案の詳細な説明】
【技術分野】
【０００１】  本考案は、マスク本体と耳掛け紐の先端各々にネオジウム磁石を装着し、マスク本体と耳掛け紐の着脱を自在にできるマスクに関するものである。
【背景技術】
【０００２】  マスク本来の機能はウイルスの飛沫拡散防止、また体内へのウイルス侵入を防ぐためである。しかし従来のマスクには健康の促進をしたり、部分的な取替が可能なマスクはない。
【考案の概要】
【考案が解決しようとする課題】
【０００３】  従来のマスクは本体と耳掛け紐が一体化しているため、マスク本体のみ劣化した場合でも、耳掛け紐を含めてすべての処分が必要になる。従ってマスク本体と耳掛け紐を着脱可能型にすることにより、必要な部分のみを取り替えることができ、素材の無駄な消費を減らすことができる。さらに着脱部にネオジウム磁石を使用することで、磁気による顔面の血行不良改善を促すことが期待でき、前述の欠点を解決しようとするものである。
【課題を解決するための手段】
【０００４】  本考案はマスク本体と耳掛け紐の先端各々にネオジウム磁石を装着し、着脱可能にすることにより、劣化時の取り換え箇所を必要最低限に抑え、素材の無駄な消費を減らすことができる。また磁気による顔面の血行不良改善で健康の促進をすることにより問題点を解決している。
【考案の効果】
【０００５】  上述のように本考案のネオジウム磁石を使用したマスク本体と耳掛け紐の着脱可能型マスクは、必要部分のみの取り換えが可能になることにより、素材の消費を抑えることができ、しかも着脱に使用する磁石の効果による血行促進を期待することができる。
【図面の簡単な説明】
【０００６】
【図１】  本考案のマスク本体と耳掛け紐をネオジウム磁石で着脱できるマスクの一実施例を示す正面図である。
【考案を実施するための形態】
【０００７】  以下では、本考案の実施例について添付図面を参考して詳細を説明する。ただ以下に説明される実施例は本考案に属する分野において、通常の知識を有する者が考案を容易に実施できる程度に説明するためのものに過ぎず、これにより本考案の保護範囲が限られることを意味するものではない。そして本考案の複数の実施例を説明することにあたり、同一の技術的な特徴を有する構成要素については同一の図面符号を使用することとする。
【実施例】
【０００８】  図１は本考案の実施例に従ったマスク本体と耳掛け紐をネオジウム磁石により着脱可能型マスクの概略図である。【０００９】  マスク本体の左上部に設けるネオジウム磁石（Ｃ−１）と左側の耳掛け紐上部の先端に設けるネオジウム磁石（Ｄ−１）を連結し、マスク本体の左下部に設けるネオジウム磁石（Ｃ−３）と左側の耳掛け紐下部の先端に設けるネオジウム磁石（Ｄ−３）を連結する。マスク本体の右上部に設けるネオジウム磁石（Ｃ−２）と右側の耳掛け紐上部の先端に設けるネオジウム磁石（Ｄ−２）を連結し、マスク本体の右下部に設けるネオジウム磁石（Ｃ−４）と右側の耳掛け紐下部の先端に設けるネオジウム磁石（Ｄ−４）を連結する。これにより使用者のマスク使用が可能になる。
【符号の説明】
【００１０】Ａ      マスク本体
Ｂ−１  左側の耳掛け紐
Ｂ−２  右側の耳掛け紐
Ｃ−１  マスク本体の左上側に付着されるネオジム磁石
Ｃ−２  マスク本体の右上側に付着されるネオジム磁石
Ｃ−３  マスク本体の左下側に付着されるネオジム磁石
Ｃ−４  マスク本体の左下側に付着されるネオジム磁石
Ｄ−１  左側の耳掛け紐の上部分の先端に付着されるネオジム磁石
Ｄ−２  右側の耳掛け紐の上部分の先端に付着されるネオジム磁石
Ｄ−３  左側の耳掛け紐の下部分の先端に付着されるネオジム磁石
Ｄ−４  右側の耳掛け紐の下部分の先端に付着されるネオジム磁石
【図１】
0003230884.tif 000003
(57)【要約】      （修正有）【課題】超音波振動を利用して容易かつ安全に歯石などを除去することができる歯石除去用超音波チップを提供する。【解決手段】歯周病治療及び予防のために使用する歯石除去用超音波チップであり、円錐らせん状若しくは円錐円状に連続した刃をもった作業端部３及び作業部４を処置部位に応じて適用しやすい角度を付与した形状とし、歯石除去用超音波チップを超音波振動発生器の先端に装着する。【選択図】図１
0003230886.tif 000002
【実用新案登録請求の範囲】
【請求項１】
円錐らせん状若しくは円錐円状に連続した刃をもった作業端部及び作業部とシャンクが一体となるように構成され、処置部位に応じて適用しやすい角度を付与した形状のものを超音波振動発生器の先端に装着して、歯面・歯根面の歯石・付着物の除去に用いる歯石除去用超音波チップ。
【考案の詳細な説明】
【考案の詳細な説明】
考案の属する技術分野歯科医師及び歯科衛生士が歯周病治療及び予防のために行う歯面・歯根面の歯石・付着物を除去するために使用する超音波振動発生器を利用し、これに、円錐らせん状若しくは円錐円状に連続した刃をもった作業端部及び作業部を設け、歯面・歯根面の歯石・付着物の除去用に装着してなる歯石除去用超音波チップ。なお作業端部及び作業部の形状は処置部位に応じて、適用しやすい角度を付与した形状をしている。従来の技術従来、鎌状のキュレットが歯科関係の学校で、その使用方法を学習するため歯面・歯根面への適用法が広く習得されている。歯科医師及び歯科衛生士が、この使用方法を取得し、この器具を使用して歯石等の除去作業を行っている。この鎌状のキュレットには作業端部に鎌状の１枚刃をもっており、施術者が、この作業端部についている鎌状刃で歯石などを除去する手作業を行っていた。しかも、従来の鎌状刃では先端が歯肉又は歯根面を傷つける危険性も避けられなかった。歯面・歯根面の歯石・付着物の除去のために、超音波振動発生器を利用し、この超音波チップの作業端部に、円錐らせん状若しくは円錐円状に連続した刃をもった作業端部を設けたものは存在しなかった。本考案は超音波振動発生器を利用して、超音波チップに、これまでに無かった円錐らせん状若しくは円錐円状に連続した刃をもった作業端部及び作業部の形状を設けることで、円錐らせん状若しくは円錐円状に連続する刃が目安になり、プローブの目盛りの様に歯肉溝の深さを探りながらの操作ができることと操作が、主に引き上げの上下動作を行うことにより、歯石等の除去作業が一段と容易かつ安全に行えるようになった大きな特徴を有する。歯科用の超音波チップ関連の特許を検索して出てきたのは、実新案昭５８−１８２７２０号公報及び実新案昭６３−８００９号公報が歯冠除去用のものであり、実新案２００６−３１２５４８８号公報が偽膜性口腔カンジダ症における偽膜除去用のものであり、特表２０１０−５２５９０９号公報が歯科用インプラントを埋入する部位の前処理のために用いるものであり、特開２０１２−９０８９６号公報がチップ先端部に金属などの粉末を射出し、表面一体に突起を設けるものであり、特開２０１３−１０２８４７号公報がチップ先端部から光感受性物質液を放出し、光を照射して、殺菌するものであり、そして、特表２００３−５１７８７３号公報が歯石除去用チップではあるが、チップにハンドピース導管、ハンドピース弁を介して水などの流体を運ぶというものである。これらは本考案とは異なったものである。考案が解決しようとする課題従来行われていた手作業による鎌状のキュレットを使用して行われていた歯面・歯根面の歯石・付着物の除去では硬い歯石の場合、これを除去するのに、かなりの時間を要していた。このため施術者や長時間この施術に耐えなければならない患者の負担は大きかった。本考案はこれらの負担を軽減するためになされたものである。さらに鎌状のキュレットは歯周病の治療及び予防のために広く使用されているものであるが、従来の鎌状刃では先端が歯肉又は歯根面を傷つける危険性も避けられなかった。そこで、この超音波チップの先端に円錐らせん状若しくは円錐円状に連続した刃をもった作業端部及び作業部の形状に処置部位に応じて適用しやすい角度を付与した形状を設け、超音波振動発生器に装着し、上下動作なので歯肉又は歯根面を傷つけることがほとんどなく、安全でより効率的に歯面・歯根面の歯石・付着物を除去することが可能になった。このように本考案は施術者と患者の双方の負担を従来より大きく軽減することを目的としてなされたものである。考案を解決するための手段手作業により歯面・歯根面の歯石・付着物を除去するのに施術者と患者の双方が受けている負担を大幅に軽減すために超音波振動発生器の先端に、円錐らせん状若しくは円錐円状に連続した刃をもった作業端部及び作業部の形状を処置部位に応じて適用しやすい角度を付与した形状のチップを装着することを考案した結果、頑固な歯石でも超音波振動により、力を入れずに容易に、しかも上下動作なので、歯肉又は歯根面をほとんど傷つけることなく歯面・歯根面の歯石・付着物を除去できるようになり、施術者と患者双方の負担を大きく軽減することが可能になった大きな特徴を有する。考案の実際の形態超音波振動発生器が作動すると、この先端に装着した、作業端部及び作業部形状を設けた歯石除去用超音波チップが振動する。作業端部の刃を歯石に当てれば振動と上下動作により歯石などが容易に除去できる。従来の鎌状のキュレットと比較すれば、容易にしかも迅速に歯肉又は歯根面をほとんど傷つけることなく安全に目的を達成することが可能となる。実施例本考案による作業端部及び作業部の形状を設けた歯石除去用超音波チップを超音波振動発生器の先端に装着し、歯石などの除去作業を行うのを、従来の作業と比較すると作業時間が１０分ないし２０分程度短縮され、さらに歯石などの除去作業が従来より早く、容易に確実に、しかも歯肉又は歯根面をほとんど傷つけることなく安全に行えるようになった。考案の効果世界で初めて先端に、円錐らせん状若しくは円錐円状に連続した刃をもった作業端部及び作業部の形状を処置部位に応じて適用しやすい角度を付与した形状の歯石除去用超音波チップを装着し、超音波振動発生器の振動を利用した歯石などの除去で、従来の手作業によるものと比較すれば、施術者や患者双方にとって大きなメリットがある。
【図面の簡単な説明】
【図１】円錐らせん状刃の作業端部をもった歯石除去用超音波チップ２の拡大図
【図２】円錐円状刃の作業端部をもった歯石除去用超音波チップ２の拡大図
【図３】使用状態図
【符号の説明】１．  超音波振動発生器２．  例として取り上げた、作業部の形状を処置部位に応じて適用しやすい角度を付与した形状の歯石除去用超音波チップのうちの一つのチップ３．  円錐らせん状若しくは円錐円状に連続した刃をもった作業端部４．  作業部５．  シャンク
【図１】
0003230886.tif 000003
【図２】
0003230886.tif 000004
【図３】
0003230886.tif 000005
(57)【要約】      （修正有）【課題】熱中症の軽減とメガネの息による曇りがないマスクを提供する。【解決手段】立体型マスクの内側を２室に分けるために、内側素材の上唇上部にあたる位置に柔らかい仕切り板１を取り付けた。上の部屋は息を吸うための部屋で、下の部屋は息を吐きだすための部屋として使われる。新鮮な空気を鼻から吸いこみ、脳の毛細血管を冷やし、吐く息は口から出てマスクの下部の排気弁４から排気される。【選択図】図２
0003230822.tif 000002
【実用新案登録請求の範囲】
【請求項１】
マスクの内側に上下に分ける仕切りばんを取付けて２室に分けることにより、吸気と排気を別々にする構造にしたもの。
【考案の詳細な説明】
【技術分野】
【０００１】本発明は、マスクに関するものであり、マスクの内側に仕切りを作ることにより吐いた息を再度吸い込まないようにしたものである。
【考案が解決しようとする課題】
【０００２】従来のようなマスクは吐いた自分の暖かい息を再度吸い込む状態になる。
特に夏場に暖かい息を繰り返し、吸うことで熱中症の原因にもなっている。
この問題を解決するために考案いたしました。
【課題を解決するための手段】
【０００３】この課題を解決するため請求項１の発明は、マスクの内部を上下に分けることで、図−１の１の仕切りばんを設けて、図−１の２上部室と図−１の３下部室に分離する。
このようにすることにより上部２室から入る新鮮な空気は鼻から吸い込んで、吐きだす息は３室に吐き出される。
吐き出された息は簡単な４のチエック弁を介して下部に排出される。
従って鼻から入る空気は常に新鮮な空気になる。
【考案の効果】
【０００４】１．本発明により夏場に新鮮な空気だけを鼻かから吸うことで、脳の毛細血管が冷やされることにより、熱中症になる確率が軽減された。
特に脳細胞の毛細血管は鼻の奥の５脳腔に集中していて、脳の冷却は鼻からの空気が５脳腔を通過することにより冷やされることで熱中症予防に大きい効果を上げることができた。
２．マスクの下部からのみ息が排出されるので、眼鏡をかけていて息で曇らないようになった。
【図面の簡単な説明】
【０００５】
【図１】マスクの内側
【図２】マスクと脳の関係図
【符号の説明】
【０００６】１  仕切りばん
２  マスク内の上部室
３  マスク内の下部室
４  マスクの下部排気弁
５  鼻腔
６  脳
７  口
８  喉
９  ゴム
【図１】
0003230822.tif 000003
【図２】
0003230822.tif 000004
【手続補正書】
【提出日】令和2年9月17日(2020.9.17)
【手続補正１】
【補正対象書類名】実用新案登録請求の範囲
【補正対象項目名】全文
【補正方法】変更
【補正の内容】
【実用新案登録請求の範囲】
【請求項１】
立体型マスクの内側を２室に分けるために、内側素材の上唇上部にあたる位置に柔らかい仕切り板を取付ける構造にしたことを特徴とするマスク。
【手続補正書】
【提出日】令和2年11月20日(2020.11.20)
【手続補正１】
【補正対象書類名】実用新案登録請求の範囲
【補正対象項目名】全文
【補正方法】変更
【補正の内容】
【実用新案登録請求の範囲】
【請求項１】
立体型マスクの内側を２室に分けるために、内側素材の上唇上部にあたる位置に柔らかい仕切り板が取り付けられたマスク。
(57)【要約】      （修正有）【課題】ＣＯ２排出や電気、ガスの使用が無く、打ち水より持続時間を長く、気体の冷却効果を得ることができる水分保持器具を提供する。【解決手段】水分保持器具は、支柱１、２、保水可能な部材３〜８を含む。支柱１、２が倒れないよう重石９、１０を設置する。支柱１、２の間に風の通りを妨げない様また日光を受けやすい様に水平やそれに近い角度で保水可能な部材３〜８を取り付ける。当該器具に水分を溜めたり、含ませ、気化させることで電気等のエネルギーを使用せずに気化熱を利用することで気温上昇抑制させることが可能となる。自立式に限らず、吊るす、立て掛ける、軒下と地面との間でつっぱらせる等でも機能させることは可能である。【選択図】図１
0003230826.tif 000002
【実用新案登録請求の範囲】
【請求項１】
打ち水をヒントとして少ない接地面積で多くの水分を長時間保持可能な気化熱を利用した簡易で設置が容易な電気、ガス等のエネルギーを使用せずに気温上昇を抑制する水分保持器具
【考案の詳細な説明】
【技術分野】
【０００１】
本考案は、電気、ガス等のエネルギーを使用せずに気温上昇を抑制する水分保持器具に関するものである。
【背景技術】
【０００２】
近年の地球温暖化や異常気象の原因となるCO2やクーラー不使用による熱中症患者、および電気・ガス代の「発生抑制」に寄与する環境に配慮した気温上昇の抑制器具に関するものである。
【０００３】
国連が掲げる「持続可能な開発目標」（SDGs）、「エシカル消費」、「サスティナブルな社会の実現」、「製品アセスメント」に貢献するものである。  
【０００４】
打ち水をヒントとして少ない接地面積で多くの水分を長時間保持可能な気化熱を利用した器具である。
【０００５】
廃棄時も環境負荷の少ない部材（木材など）で構成することが可能である。
【先行技術文献】
【特許文献】
【０００６】
【特許文献１】昭37-4356
【特許文献２】昭43-12267
【特許文献３】昭60-43920
【特許文献４】昭62-73784
【特許文献５】特許第6619115号(P6619115)
【特許文献６】特願2019-104777(P2019-104777)
【特許文献７】特開2019-152389(P2019-152389A)
【特許文献８】特開2015-34675(P2015-34675A)
【特許文献９】特開2014-190573(P2014-190573A)
【特許文献１０】特開2013-96618(P2013-96618A)
【非特許文献】
【０００７】
【非特許文献１】JPU 1985043920-000001
【非特許文献２】実用新案登録第3197909号(U3197909)
【考案の概要】
【考案が解決しようとする課題】
【０００８】
暑い時間を涼しく過ごすには主に電気などを使用して扇風機やクーラーを使用することが一般的であるが、これによりCO2排出量や電気代を増加させてしまう点である。
【０００９】
庭などへの打ち水では保水面積が少なく、また直ぐに乾燥し、気温上昇抑制効果時間が短い。多く水分を含ませるため広範囲に散水しても流れてしまったり、窓から遠い距離では効果が薄いなど有効ではない。
【課題を解決するための手段】
【００１０】
本考案は、水分を保持する部材を陽が当たり易く水分が蒸発し易い場所に、接地面積の割に多くの面積を存在させ、気体（風）の通過の多くも妨げないように配置する構造とした、気化熱発生という自然現象を利用し、当該部材が保水している間、周囲の空間の気温上昇及を抑制するという利点がある。
【考案の効果】
【００１１】
気温上昇抑制時間を長く確保できる。
【００１２】
電気を使用しないことでCO2発生や電気代を抑制することができる。
【００１３】
クーラーが苦手な方々にも過ごしやすい気温上昇を抑制した空間を提供できる。
【００１４】
風の通りを妨げにくい。
【００１５】
蓄積した雨水等を使用した場合、水道代や浄水するエネルギーも抑制できる。
【図面の簡単な説明】
【００１６】
【図１】図１は気温上昇抑制器の使用法を示した説明図である。（実施例１）
【図２】図２は保水可能な部材の形状例を示した説明図である。
【図３】図３は保水可能な部材の形状例を示した説明図である。
【考案を実施するための形態】
【００１７】
打ち水をヒントとして少ない接地面積で多くの水分を長時間保持可能な気化熱を利用した簡易で設置が容易な電気、ガス等のエネルギーを使用せずに気温上昇を抑制する水分保持器具を実現した。
【実施例１】
【００１８】
以下、添付図面に従って一実施例を説明する。当該図は自立式であるが吊るす、立て掛ける、軒下と地面とで突っ張らせる等でも機能させることは可能である。支柱1,2が倒れないよう重石となる9,10を設置する。これらに固定した支柱1,2の間に風の通りを妨げない様また日光を受けやすい様水平やそれに近い角度で3,4,5,6,7,8の保水可能な部材を取り付ける。当該器具に水分を溜めたり、含ませ、気化させることで電気等エネルギーを使用せずに気温上昇抑制させることが可能となる。
【００１９】
保水可能な部材3,4,5,6,7,8は（図2）以外にも（図3）のような形状なども採用できる。
【符号の説明】
【００２０】
１,２              支柱
３,４,５,６,７,８   保水可能な部材
９,1０            重石
【図１】
0003230826.tif 000003
【図２】
0003230826.tif 000004
【図３】
0003230826.tif 000005
【手続補正書】
【提出日】令和2年12月18日(2020.12.18)
【手続補正１】
【補正対象書類名】実用新案登録請求の範囲
【補正対象項目名】全文
【補正方法】変更
【補正の内容】
【実用新案登録請求の範囲】
【請求項１】
複数の重石に固定された支柱間や枠内に水平やそれに近い角度で複数の保水可能な部材を取り付け、気化熱により周囲の気温を下げる水分保持器具
(57)【要約】      （修正有）【課題】マスクを必要とせずに、ノド、鼻をホコリやインフルエンザ菌等から守り、美顔上もコンパクトで、つかいやすい、ほこり、花粉を吸収する器具を提供する。【解決手段】器具１は、左右の鼻柱をはさむはさみと、はさみをこうせいする左部と右部のそれぞれの外側に、紙及び又は綿製のフィルタ２をそなえ、鼻の左右を器具でハサミ、フィルターを鼻の左右に密着させ鼻水、ホコリ、花粉及びインフルエンザ菌等を吸い取ったら、新しいフィルターに取り替える。【選択図】図２
0003230821.tif 000002
【実用新案登録請求の範囲】
【請求項１】
紙・綿等を使い鼻桂をはさみその器具の左右にフィルターをとりつけ、ホコリ・花粉等を吸取る器具。
【考案の詳細な説明】
【考案の詳細な説明】
【考案が解決しようとする課題】
【０００１】  従来はマスクでほこりをとりノド鼻を守って来たが現在の大気汚染で花粉、インフルエンザ菌、コロナウイルス菌及びほこりなどをふせぐには効果が今一つで有る。特にマスクは、口紅等女姓の気になることで、マスク無しであれば美顔をそこねるという問題を有していたが、この種の器具はその問題点を解決する。
【課題を解決するための手段】
【０００２】上記目的を達成するために鼻の左右にフィルター（紙綿）を密着させ、ほこり、花粉、インフルエンザ菌、コロナウイルス菌等を相当吸取り、美顔上も解決する。
【考案の効果】
【０００３】現在のアレルギー的物質が多い大気汚染より鼻、ノドを守り花粉症、インフルエンザ菌、コロナウイルス菌等、ノドの病気なども守る上美顔上にも効果が有る。
【図面の簡単な説明】
【図１】  器具正面図
【図２】  鼻に取りつけた時の正面図
【図３】  フィルター及び器具
【符号の説明】  １  鼻にはさむ器具
２  フィルター
【図１】
0003230821.tif 000003
【図２】
0003230821.tif 000004
【図３】
0003230821.tif 000005
【手続補正書】
【提出日】令和2年8月3日(2020.8.3)
【手続補正１】
【補正対象書類名】実用新案登録請求の範囲
【補正対象項目名】全文
【補正方法】変更
【補正の内容】
【実用新案登録請求の範囲】
【請求項１】
紙・綿を使い鼻桂をはさみその器具の左右にフィルターをとりつけ、ホコリ・花粉を吸取る器具で、左右の鼻桂をはさみ（洗濯バサミの形をした小さな器具）鼻水などを吸い取りいっぱいになったら新しく取り換えられる小型の器具である。（鼻水などを吸い取りやすいフィルタを洗濯バサミ状の物に取り付けた器具）
【手続補正書】
【提出日】令和2年11月26日(2020.11.26)
【手続補正１】
【補正対象書類名】実用新案登録請求の範囲
【補正対象項目名】全文
【補正方法】変更
【補正の内容】
【実用新案登録請求の範囲】
【請求項１】
左右の鼻柱をはさむはさみと、前記のはさみをこうせいする左部と右部のそれぞれの外側に、紙及び又は綿製のフィルタをそなえたほこり、花粉を吸収する器具。
(57)【要約】      （修正有）【課題】着用するだけで冬の寒さや空気の乾燥、秋の紫外線から、肌やのどを手軽に保護できる秋冬用マスクを提供する。【解決手段】シルクプロティン加工されたアクリルナイロンモール糸のマスク本体１と、マルロン糸による耳掛けループ部分２が立体編機により一体成型で編まれており、装着することで、抗菌効果はもとより、保湿効果、ＵＶカット効果が得られ、肌やのどを保護できる。加えてぴったり顎側面に沿うことにより、顔が引き締まって小顔に見える視覚的効果が期待できる。【選択図】図１
0003230823.tif 000002
【実用新案登録請求の範囲】
【請求項１】
モール素材使用による防寒効果及び、シルクプロティン加工による保湿、抗菌、ＵＶカットを加えた機能性と、立体編みニットで成型し顎側面への密着度の向上により、小顔に見える視覚的効果が期待される秋冬用マスク
【考案の詳細な説明】
【技術分野】
【０００１】本考案は、防寒性、保湿性、抗菌性、ＵＶカット機能を付加し、加えて一体成型により着用感を向上させつつ、小顔に見える効果が期待できる形状のマスクに関するものである。
【背景技術】
【０００２】従来のマスクでは保護することのできない、秋の紫外線、冬の寒さ、空気の乾燥といった日常における肌やのどの問題。
【考案の概要】
【考案が解決しようとする課題】
【０００３】飛沫感染予防のためのマスクを着用するだけで、冬の寒さや空気の乾燥、秋の紫外線から、肌やのどを手軽に保護でき、小顔にも見えたい。
【課題を解決するための手段】
【０００４】本体に使用する原料糸のアクリルナイロンモール糸にシルクプロティン加工を施し、立体編機による一体成型のニットマスクを着用することで課題解決の一助となる。
【考案の効果】
【０００５】マスク本体のモール糸の保温性により防寒性を高め、シルクプロティン加工による抗菌性及び保湿性の向上、ＵＶカット機能の付加で、雑菌を寄せ付けず清潔を維持し、肌やのどを乾燥や紫外線から保護する。
また立体編機を駆使したニッティングにより、耳フック部分と本体が一体成型となり、特に顎側面への密着感の向上で、小顔に見える視覚的効果が期待できる。
【図面の簡単な説明】
【０００６】
【図１】本考案の防寒立体マスクの正面図である。
【図２】本考案の防寒立体マスクの側面図である。
【図３】本考案の防寒立体マスクの着用例を示す図である。
【考案を実施するための形態】
【０００７】  マスク本体をアクリル／ナイロンモール糸による二重構造とし、耳にかけるループ部分はマルロン糸で構成されている。立体編機によるニッティングにより、これら本体とループを一体で成型し、装着感を向上させている。特に顎の側面に沿う形状によって顔が引き締まって見える視覚的効果を狙う。
【実施例】
【０００８】  以下、添付図面に対して実施例を説明する。１はアクリルナイロンモール糸で構成されたマスク本体、２はマルロン糸による耳掛けループ部分。【０００９】  １を顔に当て、１ａを鼻骨に、１ｂを顎先に合わせながら、顎側面にしっかり沿わせるようにしながら、耳にループ部分をかけ装着する。
【符号の説明】
【０００９】１    マスク本体
１ａ  マスク上部中心
１ｂ  マスク下部中心
２    耳掛けループ
【図１】
0003230823.tif 000003
【図２】
0003230823.tif 000004
【図３】
0003230823.tif 000005
【手続補正書】
【提出日】令和2年11月19日(2020.11.19)
【手続補正１】
【補正対象書類名】実用新案登録請求の範囲
【補正対象項目名】全文
【補正方法】変更
【補正の内容】
【実用新案登録請求の範囲】
【請求項１】
マスク全体が立体編みのニットの柔軟性によって、特に顎前面から側面にかけて、余すところなく包み込み、一体成型の耳ループまで、顔からはみ出す部分なく柔軟に密着することで、引き締まり、小顔に見える視覚的効果が期待される秋冬用マスク。
(57)【要約】      （修正有）【課題】ベアリング及び振動低減機能の両方を備えるスライディングブラケット機能付きの粘性ダンパーを提供する。【解決手段】スライディングブラケット機能付きの粘性ダンパーは、パイプクランプ１、ダンピング液タンク４及びボトムプレートを備え、ダンピング液タンク４内にダンピング液３が充填され、パイプクランプ１の上部は外部のパイプライン２に固定され、パイプクランプ１の下部はダンピング液タンク４中のダンピング液３内に位置し、且つ、ダンピング液タンク４はボトムプレートに固定され、該ダンパーはベアリング及び振動低減機能の両方を備える。【選択図】図１
0003230552.tif 000002
【実用新案登録請求の範囲】
【請求項１】
スライディングブラケット機能付きの粘性ダンパーであって、パイプクランプ（１）、ダンピング液タンク（４）及びボトムプレートを備え、
ダンピング液タンク（４）内にダンピング液（３）が充填され、パイプクランプ（１）の上部は外部のパイプライン（２）に固定され、パイプクランプ（１）の下部はダンピング液タンク（４）中のダンピング液（３）に位置し、且つ、ダンピング液タンク（４）はボトムプレートに固定されることを特徴とするスライディングブラケット機能付きの粘性ダンパー。
【請求項２】
ボトムプレートとダンピング液タンク（４）の外壁とは固定板（５）によって接続される請求項１に記載のスライディングブラケット機能付きの粘性ダンパー。
【請求項３】
パイプクランプ（１）はＵ字型のサポート及びフープを含み、フープはパイプライン（２）に套設して固定され、Ｕ字型のサポートの上部はフープに固定され、Ｕ字型のサポートの下部はダンピング液タンク（４）中のダンピング液（３）内に位置する請求項１に記載のスライディングブラケット機能付きの粘性ダンパー。
【考案の詳細な説明】
【技術分野】
【０００１】
本考案は、衝撃吸収とエネルギー消費の分野に属し、スライディングブラケット機能付きの粘性ダンパーに関する。
【背景技術】
【０００２】
スライディングブラケットは、パイプラインの重力荷重に耐えるために、水平変位を制限することなく、パイプラインをスライディングボトムプレートに支持し、スライディングガイドブラケットは、パイプラインの重力荷重に耐え、且つガイド溝でのみ変位できるブラケットであり、国家規格ＧＢ１７１１６．−１９９７を参照する。粘性ダンパーでは、ダンピング液はダンパーの中空プランジャーに減衰力を持つがベアリング機能がなく、それにより、物体の振動を低減する目的を達成し、例えばＧＥＲＢ会社のＶｉｓｃｏｄａｍｐｅｒダンパーである。
【０００３】
しかしながら、従来のスライディングブラケット（またはスライディングガイドブラケット）は粘性ダンパーの減衰および振動低減機能がなく、粘性ダンパーは、パイプラインの重量を支える役割を果たさず、如何に２つの機能を組み合わせ、ベアリングできるだけでなく、振動低減機能を有するダンパーを開発するかは、パイプラインの安全性を大幅に向上させ、パイプライン付属品のコストを削減する。
【考案の概要】
【考案が解決しようとする課題】
【０００４】
本考案は、上記の従来の欠点を克服するために、ベアリング及び振動低減機能の両方を備えるスライディングブラケット機能付きの粘性ダンパーを提供することを目的とする。
【課題を解決するための手段】
【０００５】
上記の目的を達成するために、本考案によるスライディングブラケット機能付きの粘性ダンパーは、パイプクランプ、ダンピング液タンク及びボトムプレートを備え、
ダンピング液タンク内にダンピング液が充填され、パイプクランプの上部は外部のパイプラインに固定され、パイプクランプの下部はダンピング液タンク中のダンピング液内に位置し、且つ、ダンピング液タンクがボトムプレートに固定される。
【０００６】
ボトムプレートとダンピング液タンクの外壁とは固定板によって接続される。
【０００７】
パイプクランプは、Ｕ字型のサポート及びフープを含み、フープがパイプラインに套設して固定され、Ｕ字型のサポートの上部はフープに固定され、Ｕ字型のサポートの下部はダンピング液タンク中のダンピング液内に位置する。
【考案の効果】
【０００８】
本考案は、以下のような有益な効果を有する。
本考案によるスライディングブラケット機能付きの粘性ダンパーは、具体的な操作では、パイプクランプの上部はパイプラインに固定され、パイプラインの下部はダンピング液タンク内に位置し、パイプクランプによってパイプラインを支持すると同時に、ダンピング液タンク内にダンピング液が充填され、パイプラインが振動すると、ダンピング液によってパイプクランプに対して前、後、左、右、上及び下の６自由度の減衰力を生成し、振動を低減する目的を達成し、構造が簡単であり、操作しやすく、実用性が強い。
【図面の簡単な説明】
【０００９】
【図１】本考案の構造模式図である。
【図２】本考案の側面図である。
【考案を実施するための形態】
【００１０】
以下、図面を参照して、本考案をより詳細に説明する。
図１及び図２を参照し、本考案によるスライディングブラケット機能付きの粘性ダンパーは、パイプクランプ１、ダンピング液タンク４及びボトムプレートを備え、ダンピング液タンク４内にダンピング液３が充填され、パイプクランプ１の上部は外部のパイプライン２に固定され、パイプクランプ１の下部はダンピング液タンク４中のダンピング液３内に位置し、且つ、ダンピング液タンク４はボトムプレートに固定される。
【００１１】
具体的に、ボトムプレートとダンピング液タンク４の外壁とは固定板５によって接続され、パイプクランプ１はＵ字型のサポート及びフープを含み、フープはパイプライン２に套設して固定され、Ｕ字型のサポートの上部はフープに固定され、Ｕ字型のサポートの下部はダンピング液タンク４中のダンピング液３に位置する。
【００１２】
本考案は、具体的な操作では、パイプライン２が加熱または冷却されると、遅い熱変位が発生し、ダンピング液３は熱変位に追加力がなく、パイプクランプ１のベアリング機能は変わらず、パイプライン２が振動すると、振動によりパイプクランプ１の下部にあるＵ字型のサポートを介してダンピング液３をせん断して６つの自由度の減衰力を生成し、パイプライン２の振動低減機能を達成する。
【符号の説明】
【００１３】
１  パイプクランプ
２    パイプライン
３    ダンピング液
４    ダンピング液タンク
５    固定板
【図１】
0003230552.tif 000003
【図２】
0003230552.tif 000004
(57)【要約】      （修正有）【課題】商品の取り出し及び収納時の取り扱いの容易化を図った包装体構造を提供する。【解決手段】上端部がヘッダー２によって封印され、その下部が商品収納部３に構成され、下端部が剥離可能な折り返しフィルム４によって封印されたプラスチックフィルムからなる包装袋１であり、折り返しフィルム側の外側面に開封個所を表示した商品取り出し口６を形成した包装袋構造であって、商品の取り出し口を折り返しフィルム側の外側面のほぼ中央部に形成し、且つ、円形である。【選択図】図１
0003230502.tif 000002
【実用新案登録請求の範囲】
【請求項１】
上端部がヘッダーによって封印され、その下部が商品収納部に構成され、下端部が剥離可能な折り返しフィルムによって封印されたプラスチックフィルムからなる包装袋であって、前記折り返しフィルム側の外側面に開封個所を表示した商品取り出し口を形成したことを特徴とする包装袋構造。
【請求項２】
前記商品の取り出し口を前記折り返しフィルム側の外側面のほぼ中央部に形成したことを特徴とする請求項１に記載の包装袋構造。
【請求項３】
前記商品取り出し口が円形であることを特徴とする請求項１又は２に記載の包装袋構造。
【考案の詳細な説明】
【技術分野】
【０００１】
本考案は、商品の取り出し及び格納時の取り扱いの容易化を図った包装袋構造に関する。
【背景技術】
【０００２】
従来、袋上部に吊り下げ展示用のヘッダーが形成され、その下部が商品収納部に形成されたプラスチックフィルム製の吊り下げ袋が提案されている。該吊り下げ袋は商品収納部の下端に開口部が形成され、該開口部の一方を長く形成したフィルムの下端を短く形成した他方のフィルムに折り返して接着剤により接着して商品を密封している（特許文献１）。
【先行技術文献】
【特許文献】
【０００３】
【特許文献１】特開２００２−２５５１９５号公報
【０００４】
前記吊り下げ袋の商品の購入者は、商品収納部の下端の開口部のフィルムの接着部を剥離して商品を取り出している。しかしながら、多数枚の商品が重ね合わされて収納されている場合に一枚ずつを取り出すことに手数を要した。また、一枚を取り出した場合にも内部に残された商品が乱雑になるなどの問題があった。その他、接着剤面の取り扱いが面倒であった。さらに、吊り下げ袋は、一般に長さを有するため格納場所が限られるという問題があった。
【考案の概要】
【考案が解決しようとする課題】
【０００５】
本考案は、多数枚の商品が重ね合わされて収納されている場合にも内部に残された商品を乱雑にすることなく一枚ずつを取り出すことが容易であり、さらに収納場所に合わせてコンパクトに形成することにより取り扱いの容易化を図った包装袋構造を提供することを目的とする。
【課題を解決するための手段】
【０００６】
前記目的を達成するため、本考案の包装袋構造は、上端部がヘッダーによって封印され、その下部に商品収納部が形成され、下端部が剥離可能な折り返しフィルムによって封印されたプラスチックフィルムからなる包装体であって、前記折り返しフィルム側の外側面に開封個所を表示した商品取り出し口を形成したことを特徴とする（請求項１）。
【０００７】
前記構成の本考案では、従来と同様に、商品の購入者は、商品収納部の下端部のフィルムの接着部を剥離して商品を取り出すことのほか、折り返しフィルム側の外側面に開封個所を表示した商品取り出し口を開口して開口部にある一枚の商品を摘まんで容易に取り出すことができる。
【０００８】
さらに、包装袋を前記商品取り出し口と反対側に二つ折りして剥離した折り返しフィルムをヘッダー部に接着することにより全体の長さを２分の１にすることにより全体がコンパクトに形成されて格納が容易になる。
【０００９】
同時に、２分の１に形成された袋の外側面に商品取り出し口が位置するため、該商品取り出し口の開口部にある二つ折り状態の商品を摘まんで容易に取り出すことができる。なお、前記商品取り出し口の形成は円形、楕円形、多角形のほか、直線状など任意である。
【００１０】
本考案の他の一実施例は、前記商品取り出し口を前記折り返しフィルム側の外側面のほぼ中央部に形成したことを特徴とする（請求項２）。この実施の一形態によれば、二つ折りした包装袋の頂部に商品取り出し口が位置して内部の商品のほぼ中央部を摘まんでスムースに取り出すことができる。
【００１１】
本考の他の一実施例は、前記商品の取り出し口が円形であることを特徴とする（請求項３）。この実施の一形態によれば、内部の商品を摘まんで取り出す場合に商品が均等に取り出されて商品の一部が商品取り出し口に引っ掛かったりすることが防止される。
【考案の効果】
【００１２】
本考案によれば、多数枚の商品が重ね合わされて収納されている場合にも内部に残された商品を乱雑にすることなく一枚ずつを取り出すことが容易であり、さらに収納場所に合わせてコンパクトに形成でき取り扱いの容易化を図ることができる。
【図面の簡単な説明】
【００１３】
【図１】本考案の実施の一形態に係る包装袋の一部切欠斜視図である。
【図２】本考案の実施の一形態に係る包装体の変形例を示す側面図である。
【考案を実施するための形態】
【００１４】
以下に、図面を参考に本考案の一実施例を説明する。
【００１５】
本考案の包装袋１は、上端部に吊り下げ展示用のヘッダー２が形成され、その下部が商品収納部３に形成され、下端部が剥離可能な折り返しフィルム４によって封印されたプラスチックフィルムからなる。
【００１６】
下端部の封印構造について述べると、表裏面を構成するプラスチックフィルムの一方を長く形成して前記の折り返しフィルム４とされ、該折り返しフィルム４を予め短く形成した他方のフィルム５の外側面に折り返して重合してその間を剥離可能な接着剤によって接着してなる。図中、Ｓは重ね合わせて収納された商品である。
【００１７】
本考案は、前記折り返しフィルム４側の側面に開封個所を表示した商品取り出し口６を形成したことを特徴とする。該商品取り出し口６は印刷表示のほかに密封を保ち且つ切り取りを容易な構造とすることが好ましい。
【００１８】
また、前記商品取り出し口６は、前記折り返しフィルム４側のほぼ中央部に形成することが好ましい。この実施の一形態によれば、図２に示すように、二つ折りにした包装袋１の頂部に商品取り出し口６が位置して内部の商品Ｓのほぼ中央部を摘まんでスムースに取り出すことができる。
【００１９】
また、商品取り出し口６は、円形であることが好ましい。この実施の一形態によれば、内部の商品Ｓを摘まんで取り出す場合に商品Ｓが均等に取り出されて商品Ｓの一部が商品取り出し口６に引っ掛かったりすることが防止される。
【００２０】
前記本考案の商品取り出し口６は前記折り返しフィルム４側の側面に形成される。その結果、包装袋１を商品取り出し口６と反対側に二つ折りして剥離した折り返しフィルム４をヘッダー２部に接着してコンパクトに形成した場合にも商品取り出し口６が包装袋１外側面あるいは頂部に位置して内部の商品Ｓの取出しが可能且つ容易である。
【符号の説明】
【００２１】
１      包装袋
２      ヘッダー
３      商品収納部
４      折り返しフィルム
６      商品取り出し口
【図１】
0003230502.tif 000003
【図２】
0003230502.tif 000004
(57)【要約】      （修正有）【課題】リモコンを収納する壁掛け及び収納を、壁への加工の手間を無くし、壁を傷つけること無く短時間に設置できるスイッチカバーを提供する。【解決手段】スイッチカバーにリモコン壁掛け受け及び収納を一体型形成する。壁への穴加工が不要となり、既存のスイッチカバーを取り外し差し替えるだけで壁に傷を残すこと無く取付の手間を短縮することができる。【選択図】図１
0003230542.tif 000002
【実用新案登録請求の範囲】
【請求項１】
リモコン壁掛けが一体型構造になっているスイッチカバー。
【請求項２】
リモコン収納が一体型構造になっているスイッチカバー。
【考案の詳細な説明】
【技術分野】
【０００１】  スイッチカバーと一体のリモコン壁掛け収納
【背景技術】
【０００２】  スイッチカバーを付け替えるだけで、リモコン収納壁掛け及び収納を取り付けることが出来る。
【考案の概要】
【考案が解決しようとする課題】
【０００３】  エアコン等のリモコンを収納する壁掛け及び収納は、壁に木ネジで穴を空けて取り付け、または粘着テープで壁に貼り付ける等、壁への加工が必要。
【課題を解決するための手段】
【０００４】  上記目的を解決するために、従来から普及しているスイッチカバーと一体にすることによって加工が不要となる。
【考明の効果】
【０００５】  本発明を用いることにより、リモコンを収納する壁掛け及び収納を、壁への加工の手間を無くし、壁を傷つけること無く短時間に設置できる。
【図面の簡単な説明】
【０００６】
【図１】  本考案に係るスイッチカバー一体型リモコン壁掛け収納（壁掛け）の平面図である。
【図２】  本考案に係るスイッチカバー一体型リモコン壁掛け収納（リモコン収納）の平面図である。
【図３】  本考案に係るスイッチカバー一体型リモコン壁掛け収納を、壁側に設置してある従来のスイッチプレートへ取付ける平面図である。
【考案を実施するための形態】
【０００７】  図１に示すように、スイッチカバーにリモコン引掛け収納が一体に付いている。
【０００８】  図２に示すように、リモコンを収納できる。
【０００９】  図３に示すように、従来のスイッチプレート（壁側）にスイッチカバー一体型リモコン壁掛け収納を取付ける。
【００１０】  図４に示すように、多種類のスイッチカバーとの一体型も可能である。
【符号の説明】
【００１０】１−１  スイッチカバー一体型リモコン壁掛け収納（リモコン壁掛け）
１−２  スイッチカバー一体型リモコン壁掛け収納（リモコン収納）
２  リモコン壁掛け
３  リモコン収納
４  取付用爪
５  リモコン
６  スイッチプレート（壁側）
【図１】
0003230542.tif 000003
【図２】
0003230542.tif 000004
【図３】
0003230542.tif 000005
【図４】
0003230542.tif 000006
【手続補正書】
【提出日】令和2年12月10日(2020.12.10)
【手続補正１】
【補正対象書類名】明細書
【補正対象項目名】０００６
【補正方法】変更
【補正の内容】
【０００６】
【図１】  本考案に係るスイッチカバー一体型リモコン壁掛け収納（壁掛け）の平面図である。
【図２】  本考案に係るスイッチカバー一体型リモコン壁掛け収納（リモコン収納）の平面図である。
【図３】  本考案に係るスイッチカバー一体型リモコン壁掛け収納を、壁側に設置してある従来のスイッチプレートへ取付ける平面図である。
【図４】  本考案に係るスイッチカバー一体型リモコン壁掛け収納の、壁側に設置してある従来のスイッチプレートの種別に形態を適合させた（スイッチ１個タイプ、ワイドカバータイプ、フルワイドカバータイプ等）平面図である。
(57)【要約】      （修正有）【課題】聞き覚えのある可聴帯の音を、いい事や楽しい事のある音と認識し、動物の興味をより惹きつけるための動物用笛を提供する。【解決手段】動物用笛は、吹込口２１及び吹出口を有する筒状の本体２と、本体に嵌入された樹脂製の鳴動体３と、鳴動体を覆い、鳴動体からの空気を外部に噴き出すための穴４１を有するキャップ４と、を具備する。【選択図】図２
0003230514.tif 000002
【実用新案登録請求の範囲】
【請求項１】
吹込口及び吹出口を有する筒状の本体と、
前記本体に嵌入され、前記吹込口から吹き込まれる空気によって鳴動する樹脂製の鳴動体と、
前記鳴動体を覆い、前記鳴動体からの空気を外部に噴き出すための穴を有するキャップと、
を具備することを特徴とする動物用笛。
【請求項２】
前記鳴動体が、前記吹出口の内径よりも大きい外径の鍔部を有する筒体を含み、
前記鳴動体が前記本体に嵌入された状態において、前記鍔部が前記吹出口に当接していること、
を特徴とする請求項１に記載の動物用笛。
【請求項３】
前記鳴動体が、前記本体に嵌入された状態において前記本体の内周面に周方向に亘って接触する隆起部を有すること、
を特徴とする請求項２に記載の動物用笛。
【考案の詳細な説明】
【技術分野】
【０００１】
本考案は、動物用の笛に関し、特に犬に好適な笛に関する。
【背景技術】
【０００２】
犬などの動物のために使用される笛として犬笛が知られている。犬笛は、犬や猫の訓練等に用いられる金属製の笛であり、人の可聴域を超える周波数の音を出すことができる。この種の犬笛は古くから存在しており、ここで記載すべき特段の先行技術文献情報はない。
【考案の概要】
【考案が解決しようとする課題】
【０００３】
しかし、犬等の興味をより惹きつけるためには、飼い主との楽しい思い出と関連付けられた音を発する笛が好適であると言える。また、金属製の笛では、重く取り扱いにくい。
【０００４】
そこで、本考案は、動物の興味をより惹きつけることができ取扱性に優れる動物用笛の提供を目的とする。
【課題を解決するための手段】
【０００５】
上述した課題を解決すべく、本考案は、
吹込口及び吹出口を有する筒状の本体と、
前記本体に嵌入され、前記吹込口から吹き込まれる空気によって鳴動する樹脂製の鳴動体と、
前記鳴動体を覆い、前記鳴動体からの空気を外部に噴き出すための穴を有するキャップと、
を具備することを特徴とする動物用笛、
を提供する。
【０００６】
本考案の動物用笛では、
前記鳴動体が、前記吹出口の内径よりも大きい外径の鍔部を有する筒体を含み、
前記鳴動体が前記本体に嵌入された状態において、前記鍔部が前記吹出口に当接していること、
が好ましい。
【０００７】
本考案の動物用笛では、
前記鳴動体が、前記本体に嵌入された状態において前記本体の内周面に周方向に亘って接触する隆起部を有すること、
が好ましい。
【考案の効果】
【０００８】
上記本考案の動物用笛を用いることにより、動物の興味をより惹きつけることができる。
【図面の簡単な説明】
【０００９】
【図１】本実施形態に係る動物用笛１の分解図である。
【図２】動物用笛１の断面図である。
【図３】本体２及び鳴動体３の断面図である。
【考案を実施するための形態】
【００１０】
以下、本考案の代表的な実施形態に係る動物用笛について、犬用笛を一例として、図面を参照しつつ詳細に説明する。ただし、本考案は、本実施形態に限定されるものではない。また、図面は、本考案を概念的に説明するためのものであるから、理解容易のために、必要に応じて寸法、比又は数を誇張又は簡略化して表している場合もある。
【００１１】
動物用笛（以下、単に笛という。）１は、本体２、鳴動体３及びキャップ４を備える。笛１は更に、図示しないチェーンないしストラップを有してもよい。
【００１２】
各構成要素の説明に移ると、本体２は筒状をなし、両端に吹込口２１及び吹出口２２を有する。吹込口２１及び吹出口２２は空気の流路２３を介して繋がっている。吹出口２２には、鳴動体３の鍔３１を受けるための段差２４が形成されている。
【００１３】
本体２には鳴動体３が嵌入されており、この鳴動体３は吹出口２２に装着される。鳴動体３は、本体２の吹込口２１に吹き込まれた空気により振動し、音を発する（すなわち鳴動する）。鳴動体３は、好ましくは、主に可聴域の音を発するように設計されている。鳴動体３は樹脂製であることが好ましく、例えばポリプロピレンで作製されてもよい。
【００１４】
なお、鳴動体３としては、空気の流路に薄板状の振動子が設けられていて、空気の通過に伴って振動子が振動し、音を発する、といったもの（ふいごのない鳴き笛のようなもの）でよい。
【００１５】
鳴動体３は、一端に鍔（鍔部）３１を有する筒体である。鳴動体３の筒部分の外径は本体２（特に吹出口２２）の内径よりも小さく、鍔３１の外径は本体２（特に吹出口２２）の内径よりも大きい。したがって、鳴動体３が本体２の吹出口２２に装着されると、鍔３１は吹出口２２（特に段差２４）に接触し、後述する空気漏れ防止に寄与する。
【００１６】
笛１は、しっかり音が鳴るように、鳴動体３と本体２との隙間Ｓから空気が漏れにくい設計になっている。つまり、次の２箇所で空気漏れ防止を行っている。
−  隙間Ｓを（少なくとも周方向に亘って）接着剤等で塞いで空気漏れを防止している（図３参照）。
−  鳴動部３が、外周面から突出する隆起部３２を持ち（図１参照）、隆起部３２は、鳴動部３が本体２に嵌入された状態において流路２３に周方向に亘って接触する。
【００１７】
キャップ４は、本体２の鳴動体３を覆う、例えば真鍮製の部材である。キャップ４は外周面に穴４１を有し、鳴動体３を通過した空気を穴４１から噴出させてもよい（図２参照）。なお、穴４１は、図示しないチェーンないしストラップを取り付けるために使用されてもよい。
【００１８】
本実施形態によれば、ユーザは、笛１を吹き、可聴域の音を犬等の動物に聞かせることで、その動物の興味をより惹きつけることができる。つまり、犬等は、遊びの時に聞き覚えのある可聴域の音を、いい事や楽しい事のある音と認識し、より大きな関心を持つのである。この点、犬笛から発せられる音（超音波）は犬等に訓練を想起させ、犬等に楽しいとの認識を抱かせるものではない。
【００１９】
以上、本考案の代表的な実施形態について説明したが、本考案はこれらに限定されるものではなく、種々の設計変更が可能である。
【符号の説明】
【００２０】
１  動物用笛
２  本体
３  鳴動体
４  キャップ
２１  吹込口
２２  吹出口
３１  鍔
３２  隆起部
４１  穴
【図１】
0003230514.tif 000003
【図２】
0003230514.tif 000004
【図３】
0003230514.tif 000005
(57)【要約】      （修正有）【課題】使用時には、二箇所に設けられた鳩目と一箇所に設けられた伸縮性のある輪を組み合わせて固定でき、携行時の利便性と使用又は装着時の意図しない紛失を防ぐことができる釣り用簡易装着機能付タオルを提供する。【解決手段】タオル本体１の四隅三箇所のうち隣接する二箇所に鳩目２、残りの一箇所に伸縮性のある輪３を設けることで、携行時には鳩目並びに輪を組み合わせて装着又は固定することにより、小さなサイズでの携行を可能とし、且つ、使用並びに装着時における意図しない紛失を防ぐため、タオルに設けられた輪にタオルの一端を通すことにより簡易的な固定を可能とする。【選択図】図１
0003230522.tif 000002
【実用新案登録請求の範囲】
【請求項１】
タオルの四隅の内、隣接する二箇所に鳩目、残りの二箇所の内、一箇所に伸縮性のある素材を用いた輪を設けることで、持ち運び時及び使用時の利便性を高めたところを特徴とする釣り用簡易装着機能付タオル
【考案の詳細な説明】
【技術分野】
【０００１】  本考案は、本体の四隅のうち一箇所を除く三箇所のうち隣接する二箇所に鳩目、残りの一箇所に伸縮性のある輪を設けたタオルに関するものである。
【背景技術】
【０００２】  釣りをする場合においてタオルを使用するときのために携行する際には、携行又は取付専用の器具が備え付けのあるタオル又は専用の形状のタオルを身体や衣服、物品の一部に取り付けて携行するか、通常のタオルを身体や衣服、物品の一部に掛け、又は通す方法で携行していた。
【考案の概要】
【考案が解決しようとする課題】
【０００３】  タオル使用時には、その使用可能面積は広い方が利便性が高いことが多いものの、携行時には可能な限り小さなサイズであることが望ましい。一方で、釣りをする場合など咄嗟の際には速やかに使用できることも求められる。加えて、屋外での使用や装着の際には意図せぬ紛失も想定される。従って、二箇所に設けた鳩目並びに一箇所に設けた輪を組み合わせることで携行時にはそのサイズを使用時より小さくすることが可能になり、加えて装着時には一箇所に設けた輪でタオルの一端を簡易的に固定することにより前述の欠点を解決しようとするものである。
【課題を解決するための手段】
【０００４】  本考案は、タオル本体の四隅のうち一箇所を除く三箇所のうち隣接する二箇所に鳩目、残りの一箇所に伸縮性のある輪を設けることで、携行時には隣接する鳩目並びに輪を組み合わせた上で装着又は固定することで、使用時と比較し、小さなサイズでの携行を可能とし、且つ、使用並びに装着時における意図しない紛失を防ぐため、タオルに設けられた輪にタオルの一端を通すことにより簡易的な固定を可能とすることにより問題を解決している。
【考案の効果】
【０００５】  上記の様に、本考案の釣り用簡易装着機能付タオルは、隣接する鳩目並びに輪を組み合わせた上で身体や衣服、器具等に装着することで使用時より小さなサイズで携行することが可能となり、且つ、使用並びに装着時においては設けられた輪にタオルの一端を通すことにより簡易的な固定を可能とすることで、意図せぬ紛失防止に役立つ。
【図面の簡単な説明】
【０００６】
【図１】本考案の釣り用簡易装着機能付タオルの実施例を示す正面図である。
【考案を実施するための形態】
【０００７】  タオル本体の四隅のうち一箇所を除く三箇所のうち隣接する二箇所に鳩目、残りの一箇所に伸縮性のある輪を設ける。
【実施例】
【０００８】  以下、添付図面に従って一実施例を説明する。１は綿等適宜素材で成形されたタオル本体、２は金属製ではない鳩目、３はポリエステル等適宜素材で成形された伸縮性のある輪である。この鳩目２を隣接する鳩目同士で併せて固定すると使用時と比較して概ね半分のサイズで携行でき、且つ、輪３に鳩目部分を通した上で固定すると、さらに概ね半分のサイズで携行できる。加えて、使用又は装着時には輪３に残りの一端を通すことで簡易的に固定できる。
【符号の説明】
【０００９】１  タオル本体
２  鳩目
３  伸縮性のある輪
【図１】
0003230522.tif 000003